(57)【特許請求の範囲】
【請求項１】
ＡＭ受信時およびＦＭ受信時にかかわらずその受信時における中間周波信号が供給されるＡＭ検波回路と、
上記中間周波信号の供給されるＦＭ復調回路と、
上記ＡＭ検波回路から出力されるオーディオ信号と、上記ＦＭ復調回路から出力されるオーディオ信号とが、上記ＡＭ受信時と上記ＦＭ受信時とで選択的に供給される低周波アンプと、
上記ＡＭ検波回路の検波出力から上記中間周波信号のレベルに対応したレベルの第１の直流信号を取り出す回路と、
上記ＦＭ復調回路の復調出力から上記中間周波信号の中間周波数に対応してレベルの変化する第２の直流信号を取り出す回路と、
上記第２の直流信号から、上記中間周波数を中心に所定の周波数範囲内のときと、範囲外のときとでレベルの変化する第３の信号を形成する回路と、
この第３の信号によりゲートして、上記第１の信号のうち、上記所定の周波数範囲内のときのみ上記第１の信号を取り出す回路と、
この取り出された信号を出力する出力端子と、
外部からの電位にしたがって、上記第３の信号にかかわらず、上記第１の信号を上記出力端子に出力させる回路と
を有し、
上記出力端子の信号が同調の検出出力である
ようにしたＦＭ・ＡＭ受信機用ＩＣ。
【請求項２】
請求項１に記載のＦＭ・ＡＭ受信機用ＩＣにおいて、
上記第２の信号から上記第３の信号を形成するときにおける上記周波数範囲を、上記ＦＭ受信時には上記ＡＭ受信時よりも広くする
ようにしたＦＭ・ＡＭ受信機用ＩＣ。
【発明の詳細な説明】
【０００１】
【発明の属する技術分野】
この発明は、ＦＭ・ＡＭ受信機用ＩＣに関する。
【０００２】
【従来の技術】
例えば「特開平１−２７３４３２号公報」の技術によれば、スーパーヘテロダイン方式のＦＭ・ＡＭ受信機を１チップＩＣ化することができる。
【０００３】
図４および図５は、そのようなＩＣおよび受信機の一例を示すもので、この例においては、ＦＭ中間周波数が150 ｋHz、ＡＭ中間周波数が45ｋHzの場合であり、鎖線で囲った部分がＩＣ１０として１チップ化され、鎖線の外側の部品ないし回路がＩＣ１０に外付けとされて受信機が構成される。
【０００４】
そして、その外付け部品（ないし外付け回路）のうち、符号４１はＦＭ受信用のアンテナ、符号４２はＦＭバンドを通過帯域とするプリセレクタ（バンドパスフィルタ）、符号５２はＡＭ用のアンテナ同調回路、符号４３および５３はＦＭ用局部発振用およびＡＭ局部発振用の共振回路を示す。この場合、同調回路５２および共振回路４３、５３は、コイルおよびバリコン（可変コンデンサ）により構成されるとともに、それらバリコンは互いに連動するものとされている。
【０００５】
さらに、外付け部品のうち、符号６１はスピーカ、符号６２はバンド切り換えスイッチである。そして、バンド切り換えスイッチ６２の出力信号により、ＩＣ１０の内部のバンド切り換え回路３１〜３４が制御されるもので、スイッチ回路３１〜３４は、ＡＭ受信時には図の状態に接続され、ＦＭ受信時には図とは逆の状態に接続される。
【０００６】
そして、ＡＭ受信時には、アンテナ同調回路５２により目的とする周波数ｆRXの受信信号ＳRXが
0003794103.tif 000002
が選択されて取り出される。なお、以後の信号処理においては、各信号の相対的な振幅および位相が関係するだけなので、上式および以後の説明においては、各信号の初期位相は省略する。
【０００７】
そして、この信号ＳRXが、スイッチ回路３１および高周波アンプ１１を通じて第１および第２のミキサ回路１２Ｉおよび１２Ｑに供給される。
【０００８】
また、
0003794103.tif 000003
とすると、局部発振回路２１Ａにおいて、共振回路５３のバリコンの操作に対応して本来の局部発振周波数ｆLOの２倍の周波数の局部発振信号ＳLOが形成される。
【０００９】
そして、この信号ＳLOがスイッチ回路３２を通じて分周回路２２Ｉ、２２Ｑに供給されて１／２分周され、周波数ｆLOで、かつ、位相が互いに90°異なる信号ＳLI、ＳLQ
ＳLI＝ＢcosωLOｔ
ＳLQ＝ＢsinωLOｔ
ωLO＝２πｆLO
が形成され、これら信号ＳLI、ＳLQがミキサ回路１２Ｉ、１２Ｑにそれぞれ局部発振信号として供給される。
【００１０】
したがって、ミキサ回路１２Ｉ、１２Ｑの出力信号ＳII、ＳIQは、
ＳII＝ＳRX・ＳLI
＝ＡsinωRXｔ×ＢcosωLOｔ
＝α｛sin（ωRX＋ωLO）ｔ＋sin（ωRX−ωLO）ｔ｝
ＳIQ＝ＳRX・ＳLQ
＝ＡsinωRXｔ×ＢsinωLOｔ
＝α｛−cos（ωRX＋ωLO）ｔ＋cos（ωRX−ωLO）ｔ｝
α＝Ａ・Ｂ／２
となる。
【００１１】
そして、後述するように、これら信号ＳII、ＳIQのうち、角周波数（ωRX＋ωLO）の信号成分は除去され、角周波数（ωRX−ωLO）の信号成分が中間周波信号として使用されるので、簡単のため、上式の角周波数（ωRX＋ωLO）の信号成分を無視すると、上式は、
ＳII＝αsin （ωRX−ωLO）ｔ
ＳIQ＝αcos （ωRX−ωLO）ｔ
となる。
【００１２】
そして、このとき、イメージ信号Ｓimは、
Ｓim＝Ｃsinωimｔ
ωim＝ωLO＋ωIF
ωIF＝２πｆIF
であるから、同調回路５２からの受信信号ＳRXにイメージ信号Ｓimが含まれているとすれば、このときの信号ＳII、ＳIQは、
ＳII＝αsin（ωRX−ωLO）ｔ＋βsin（ωim−ωLO）ｔ
ＳIQ＝αcos（ωRX−ωLO）ｔ＋βcos（ωim−ωLO）ｔ
β＝Ａ・Ｃ／２
となる。
【００１３】
そして、このとき、さらに、
ωRX＜ωLO＜ωim
であるから、上式は、
ＳII＝αsin（ωRX−ωLO）ｔ＋βsin（ωim−ωLO）ｔ
＝−αsin（ωLO−ωRX）ｔ＋βsin（ωim−ωLO）ｔ
ＳIQ＝αcos（ωRX−ωLO）ｔ＋βcos（ωim−ωLO）ｔ
＝αcos（ωLO−ωRX）ｔ＋βcos（ωim−ωLO）ｔ
となる。
【００１４】
そして、これら信号ＳII、ＳIQが移相回路１３Ｉ、１３Ｑに供給される。この移相回路１３Ｉ、１３Ｑは、例えば、コンデンサ、抵抗器およびオペアンプを使用したアクティブフィルタにより構成され、移相回路１３Ｉが信号ＳIIを値φだけ移相するとともに、移相回路１３Ｑが信号ＳIQを値（φ＋90°）だけ移相するものであり、この移相により、必要とする中間周波帯域において、入力された２つの信号ＳII、ＳIQを、位相差が90°±１°の関係に移相するものである。
【００１５】
こうして、移相回路１３Ｉ、１３Ｑにより、信号ＳIQが信号ＳIIに対して90°進相され、信号ＳII、ＳIQは、
0003794103.tif 000004
とされる。
【００１６】
そして、これら信号ＳII、ＳIQが加算回路１４に供給されて加算され、加算回路１４からは
ＳIF＝ＳII＋ＳIQ
＝−αsin（ωLO−ωRX）ｔ＋βsin（ωim−ωLO）ｔ
−αsin（ωLO−ωRX）ｔ−βsin（ωim−ωLO）ｔ
＝−２αsin（ωLO−ωRX）ｔ
で示される信号ＳIFは取り出される。
【００１７】
ここで、上式において、
0003794103.tif 000005
であるから、信号ＳIFは目的とする受信信号ＳRXの中間周波信号である。そして、同調回路５２からの受信信号ＳRXにイメージ信号Ｓimが含まれていても、この中間周波信号ＳIFには、イメージ信号Ｓimによる信号成分は相殺されて含まれていない。
【００１８】
こうして、加算回路１４からは、受信信号ＳRXから変換された中間周波信号ＳIF（および角周波数（ωRX＋ωLO）の信号成分など）が取り出される。
【００１９】
そして、この中間周波信号ＳIFが、ＡＭ中間周波フィルタ用のバンドパスフィルタ１５Ａに供給される。このバンドパスフィルタ１５Ａは、例えば、移相回路１３Ｉ、１３Ｑと同様にアクティブフィルタにより構成されるとともに、その通過中心周波数は45ｋHz、通過帯域幅は±６ｋHzとされる。こうして、バンドパスフィルタ１５Ａにおいて、角周波数（ωRX＋ωLO）の信号成分などの不要な信号成分が除去され、中間周波信号ＳIFだけが取り出される。
【００２０】
そして、この取り出された信号ＳIFが、スイッチ回路３３およびＡＧＣ用の可変利得アンプ１６Ａを通じてＡＭ検波回路１７Ａに供給されてオーディオ信号が取り出され、このオーディオ信号がスイッチ回路３４および低周波アンプ１８を通じてスピーカ６１に供給される。
【００２１】
なお、このとき、検波回路１７Ａの検波出力の一部がＡＧＣ電圧形成回路１９に供給されて中間周波信号ＳIFのレベルに対応したレベルの直流分（ＡＧＣ電圧）ＶAMが取り出され、この直流電圧ＶAMが可変利得アンプ１６Ａにその利得の制御信号として供給され、ＡＧＣが行われる。
【００２２】
一方、ＦＭ受信時には、アンテナ１１からのＦＭ受信信号ＳRXが、プリセレクタ４２→スイッチ回路３１→高周波アンプ１１の信号ラインを通じてミキサ回路１２Ｉ、１２Ｑに供給される。また、ＦＭ用の局部発振回路２１Ｆから２倍の周波数２ｆLOの局部発振信号ＳLOが取り出され、この信号ＳLOがスイッチ回路３２を通じて分周回路２２Ｉ、２２Ｑに供給される。
【００２３】
したがって、加算回路１４からは、ＡＭ受信時と同様、目的とするＦＭ受信信号ＳRXの中間周波信号ＳIF（および角周波数（ωRX＋ωLO）の信号成分など）が取り出される。
【００２４】
そして、この中間周波信号ＳIFが、ＦＭ中間周波フィルタ用のバンドパスフィルタ１５Ｆに供給される。このバンドパスフィルタ１５Ｆも、バンドパスフィルタ１５Ａと同様にアクティブフィルタにより構成されもので、その通過中心周波数は150 ｋHzとされる。こうして、バンドパスフィルタ１５Ｆにおいて、角周波数（ωRX＋ωLO）の信号成分などの不要な信号成分が除去され、中間周波信号ＳIFだけが取り出される。
【００２５】
そして、この取り出された信号ＳIFが、スイッチ回路３３およびリミッタアンプ１６Ｆを通じて例えばパルスカウント形のＦＭ復調回路１７Ｆに供給されてオーディオ信号が取り出され、このオーディオ信号がスイッチ回路３４および低周波アンプ１８を通じてスピーカ６１に供給される。
【００２６】
こうして、図４および図５のＩＣ１０によれば、ＦＭおよびＡＭの中間周波数を150 ｋHzおよび45ｋHzと低くしているので、中間周波フィルタ１５Ｆ、１５Ａをアクティブ型とすることによりＩＣ化することができ、この結果、鎖線で囲った部分１０を１チップＩＣ化することができる。
【００２７】
また、そのように中間周波数を低くすると、イメージ特性が低下するが、上記のように、プリセレクタ４２および同調回路５２からの受信信号ＳRXにイメージ信号Ｓimが含まれていても、加算回路１４においてイメージ信号Ｓimの信号成分を相殺することができ、したがって、イメージ特性を良好なものとすることができる。
【００２８】
さらに、上述においては、ＩＣ１０をバリコンにより同調を行うアナログ同調方式のＦＭ・ＡＭ受信機に適用した場合であるが、ＩＣ１０をＰＬＬにより選局を行うシンセサイザ方式のＦＭ・ＡＭ受信機に適用することもできる。
【００２９】
図６は、ＩＣ１０をシンセサイザ方式のＦＭ・ＡＭ受信機に適用した場合の一例を示す。すなわち、この場合には、ＡＭ用のアンテナ同調回路５２が、バーアンテナＬ52及び可変容量ダイオードＤ52により構成され、ＡＭ局部発振用の共振回路５３が、局部発振コイルＬ53及び可変容量ダイオードＤ53により構成される。
【００３０】
そして、この共振回路５３がＰＬＬ５３０の一部とされる。すなわち、共振回路５３に得られる局部発振信号ＳLOが、バッファアンプ５３１を通じて可変分周回路５３２に供給されて１／Ｎの周波数の信号Ｓ32に分周される。そして、この分周信号Ｓ32が位相比較回路５３３に供給されるとともに、発振回路５３４から基準となる周波数、例えば18ｋHzの発振信号が取り出され、この信号が比較回路５３３に供給される。そして、この比較回路５３３の比較出力が、ローパスフィルタ５３５及びバッファ抵抗器Ｒ52、Ｒ53を通じて可変容量ダイオードＤ52、Ｄ53にその制御電圧として供給される。
【００３１】
したがって、ＡＭ受信状態における定常時には、分周信号Ｓ32の周波数と、発振回路５３４の発振周波数（＝18ｋHz）とは等しいので、このときの局部発振信号ＳLOの発振周波数２ｆLOは、
２ｆLO＝Ｎ×18〔ｋHz〕
となっている。
【００３２】
そして、このとき、
ｆRX＝ｆLO−ｆIF
ｆIF＝45ｋHz
とされている。したがって、これらの式から、
ｆRX＝Ｎ×９−45〔ｋHz〕
となる。
【００３３】
したがって、分周回路５３２の分周比Ｎを64〜184 の範囲で１ずつ変更すれば、その分周比Ｎに対応して信号ＳLI、ＳLQの周波数ｆLOが576 ｋHz〜1656ｋHzの範囲を９ｋHzステップで変化するので、受信周波数ｆRXを531 ｋHz〜1611ｋHzの範囲で９ｋHzステップで変更することができる。
【００３４】
そこで、マイクロコンピュータ６３が設けられ、操作キー６４により受信周波数ｆRXを指定すると、これがマイクロコンピュータ６３により分周比Ｎに変換され、この分周比Ｎが分周回路５３２にセットされる。したがって、キー５１を操作することにより、任意の周波数ｆRXのＡＭ放送を選局することができる。
【００３５】
さらに、ＦＭ局部発振用の共振回路４３が、局部発振コイルＬ43及び可変容量ダイオードＤ43により構成される。
【００３６】
そして、この共振回路４３を使用してＰＬＬ４３０がＰＬＬ５３０と同様に構成される。なお、発振回路５３４に対応する発振回路の発振周波数は、例えば100 ｋHzとされる。
【００３７】
したがって、ＦＭ受信状態における定常時には、
２ｆLO＝Ｎ×100 〔ｋHz〕
となっている。
【００３８】
そして、このとき、
ｆRX＝ｆLO＋ｆIF
ｆIF＝150 ｋHz
とされている。したがって、これらの式から、
ｆRX＝Ｎ×50＋150 〔ｋHz〕
となる。
【００３９】
したがって、ＰＬＬ４３０の可変分周回路の分周比Ｎを1517〜1797の範囲で２ずつ変更すれば、その分周比Ｎに対応して信号ＳLI、ＳLQ周波数ｆLOが75.85 ＭHz〜89.85 ＭHzの範囲を100 ｋHzステップで変化するので、受信周波数ｆRXを76ＭHz〜90ＭHzの範囲で100 ｋHzステップで変更することができる。
【００４０】
こうして、ＩＣ１０は、ＰＬＬシンセサイザ方式のＦＭ・ＡＭ受信機にも使用することができる。
【００４１】
ところで、上述のＩＣ１０において、例えば図７に示すように回路を追加すれば、同調表示や同調検出を行うことができる。
【００４２】
すなわち、図７において、ＦＭ復調回路１７Ｆから、例えば図８Ａに示すように、正しい中間周波数ｆ0 （＝45ｋHzあるいは150 ｋHz）を中心とし、中間周波数ｆIFに対してＳ字状ないしＮ字状にレベルの変化する直流電圧ＶFMが取り出される。そして、この電圧ＶFMが整形回路２５に供給され、値±ＶTHをスレッショールドレベルとしてレベル検出することにより、例えば図８Ｂに示すように、中間周波数ｆIFが、正しい中間周波数ｆ0 を中心として±Δｆ（ＡＭ受信時であれば、例えば、Δｆ＝６ｋHz）の範囲にあるとき“Ｈ”レベルとなり、±Δｆの範囲外のとき“Ｌ”レベルとなる電圧Ｖ25が取り出され、この電圧Ｖ25が形成回路２６に供給される。
【００４３】
また、ＡＧＣ電圧形成回路１９から、例えば図８Ｃに示すように、中間周波数ｆIFが正しい中間周波数ｆ0 のときにピークとなり、かつ、そのピーク値が中間周波信号ＳIFのレベルに対応して変化する直流電圧ＶAMが取り出され、この電圧ＶAMが形成回路２６に供給される。なお、この電圧ＶAMは、可変利得アンプ１６Ａに供給されるＡＧＣ電圧と同等である。
【００４４】
そして、形成回路２６においては、電圧ＶAMが電圧Ｖ25によりゲートされ、例えば図８Ｄに実線で示すように、電圧ＶAMのうち、ｆ0 ±Δｆの範囲の電圧が出力電圧Ｖ26として取り出される。そして、この出力電圧Ｖ26が、ＩＣ１０に外付けされたエミッタ接地のトランジスタＱ65のベースに供給されるとともに、そのコレクタには同調表示用の素子としてＬＥＤ（Ｄ65）が接続される。
【００４５】
なお、同調方式は、バリコンにより同調を行うアナログ同調方式（図４および図５）と、シンセサイザ方式（図３）のどちらであってもよい。
【００４６】
このような構成によれば、ＦＭ受信時およびＡＭ受信時、放送波信号ＳRXに同調していないときには、電圧Ｖ26＝０であり、トランジスタＱ65がオフなので、ＬＥＤ（Ｑ65）は消灯している。しかし、放送波信号ＳRXに同調したときには、電圧Ｖ26によりトランジスタＱ65がオンとなるので、ＬＥＤ（Ｄ65）が点灯する。したがって、ＬＥＤ（Ｑ65）の点灯状態から放送に同調しているかどうかを知ることができる。
【００４７】
また、シンセサイザ方式の場合（図６）、トランジスタＱ65のコレクタ出力をマイクロコンピュータ６３に供給すれば、スキャン時の自動停止（スキャン時、ある受信周波数で同調を検出したら、その周波数でスキャンを停止する処理）などを行うことができる。
【００４８】
【発明が解決しようとする課題】
上述の説明からも明らかなように、図７に示した同調検出回路を有するＩＣ１０は、バリコンを使用するアナログ同調方式のＦＭ・ＡＭ受信機と、シンセサイザ方式のＦＭ・ＡＭ受信機との両方に使用することができる。
【００４９】
ところが、図７のＩＣ１０をアナログ同調方式のＦＭ・ＡＭ受信機に使用した場合には、同調表示が不十分で、同調操作のしずらいことがある。
【００５０】
すなわち、一般にアナログ同調方式の受信機の場合、最初ＬＥＤは消灯しているが、同調つまみを回していくにつれて、ＬＥＤが次第に明るくなっていき、正同調点で最大輝度となり、その後、次第に暗くなっていく。したがって、ＬＥＤの点灯する周波数範囲が広く、しかも、その周波数範囲では、同調つまみの回転角とＬＥＤの明るさとが対応しているので、同調操作がしやすい。
【００５１】
ところが、図７のＩＣ１０をアナログ同調方式のＦＭ・ＡＭ受信機に使用した場合、同調つまみを回していくと、これにつれて中間周波数ｆIFが変化するとともに、この周波数変化に対応して電圧Ｖ26が図８Ｄに示すように変化する。
【００５２】
この場合、図８Ｄの特性の場合、同調つまみを中間周波数ｆIFが例えば高くなる方向に回していったとき、同調つまみをまわしても、ｆIF＜ｆ0 −Δｆの区間ではＬＥＤ（Ｄ65）はまったく点灯しないで、ｆIF＝ｆ0 −Δｆの位置まで回すと、ＬＥＤ（Ｄ65）はいきなり点灯し、その後、正同調点ｆ0 でＬＥＤ（Ｄ65）の明るさは最大となる。そして、ｆIF＝ｆ0 ＋Δｆの位置まで回すと、ＬＥＤ（Ｄ65）は急に消灯してしまう。
【００５３】
したがって、ＬＥＤ（Ｄ65）の点灯する周波数範囲（ｆ0 ±Δｆの範囲）が狭く、しかも、その範囲外では同調状態がまったく分からないので、同調操作がしずらくなってしまう。
【００５４】
もちろん、電圧Ｖ25を使用しないで、電圧ＶAMだけをトランジスタＱ65に供給して同調表示を行うようにすれば、一般の同調表示と同じになるので、同調操作のしずらさは解消される。
【００５５】
しかし、その場合には、トランジスタＱ65のコレクタ出力をマイクロコンピュータ６３に供給してスキャン時の自動停止を行うとき、同調表示に対応する広い周波数範囲でトランジスタＱ65のコレクタ出力が変化するので、受信レベルの大きい放送局があると、その放送周波数ｆRXよりも１ステップ（９ｋHzあるいは100 ｋHz）手前の受信周波数でスキャンが停止してしまう。したがって、電圧ＶAMだけを使用して同調検出あるいは同調表示を行うことはできない。
【００５６】
この発明は、以上のような問題点を解決しようとするものである。
【００５７】
【課題を解決するための手段】
このため、この発明においては、
ＡＭ受信時およびＦＭ受信時にかかわらずその受信時における中間周波信号が供給されるＡＭ検波回路と、
上記中間周波信号の供給されるＦＭ復調回路と、
上記ＡＭ検波回路から出力されるオーディオ信号と、上記ＦＭ復調回路から出力されるオーディオ信号とが、上記ＡＭ受信時と上記ＦＭ受信時とで選択的に供給される低周波アンプと、
上記ＡＭ検波回路の検波出力から上記中間周波信号のレベルに対応したレベルの第１の直流信号を取り出す回路と、
上記ＦＭ復調回路の復調出力から上記中間周波信号の中間周波数に対応してレベルの変化する第２の直流信号を取り出す回路と、
上記第２の直流信号から、上記中間周波数を中心に所定の周波数範囲内のときと、範囲外のときとでレベルの変化する第３の信号を形成する回路と、
この第３の信号によりゲートして、上記第１の信号のうち、上記所定の周波数範囲内のときのみ上記第１の信号を取り出す回路と、
この取り出された信号を出力する出力端子と、
外部からの電位にしたがって、上記第３の信号にかかわらず、上記第１の信号を上記出力端子に出力させる回路と
を有し、
上記出力端子の信号が同調の検出出力である
ようにしたＦＭ・ＡＭ受信機用ＩＣ
とするものである。
したがって、バリコンを使用した受信機においては、広い周波数範囲にわたって同調表示が行われ、シンセサイザ方式の受信機においては、狭い周波数範囲で同調検出が行われる。
【００５８】
【発明の実施の形態】
図１および図２は、この発明の一例を紙面の都合で２分割して示すもので、図１の右側が図２の左側につながる。そして、これら図１および図２において、ＩＣ１０は図４〜図６により説明したように構成されるとともに、さらに同調検出回路が以下のように構成される。
【００５９】
すなわち、ＩＣ１０において、符号Ｔ11〜Ｔ15はＩＣ１０の端子（外部接続ピン）の一部を示し、端子Ｔ11は電源端子、端子Ｔ13は接地端子である。そして、これら電源端子Ｔ11と接地端子Ｔ13との間に電池６５が接続されて例えば３Ｖの直流電圧が供給される。
【００６０】
また、検波回路１７Ａから検出電圧ＶAMを電圧／電流変換した電流ＩAMが取り出され、この電流ＩAMがトランジスタＱ71に供給されるとともに、このトランジスタＱ71とトランジスタＱ72とにより端子Ｔ11を基準電位点としてカレントミラー回路７１が構成される。さらに、端子Ｔ13を基準電位としてトランジスタＱ73、Ｑ74によりカレントミラー回路７３が構成されるとともに、その入力側のトランジスタＱ73がトランジスタＱ72に接続され、トランジスタＱ74のコレクタが端子Ｔ12に接続される。そして、この端子Ｔ12と電池６５との間に、外付けのＬＥＤ（Ｄ65）が接続される。
【００６１】
さらに、抵抗器Ｒ81と、端子Ｔ15を通じて外付けされているコンデンサＣ81とによりローパスフィルタ８１が構成されるとともに、このローパスフィルタ８１にＦＭ復調回路１７Ｆの復調出力が供給されて電圧ＶFMが取り出される。なお、この電圧ＶFMの中心電圧（周波数ｆ0 のときの電圧）は、例えば1.25Ｖであるとする。
【００６２】
そして、この電圧ＶFMがトランジスタＱ81のベースに供給される。このトランジスタＱ81は、トランジスタＱ82とともに、トランジスタＱ84を定電流源として差動アンプ８２を構成しているものである。また、このとき、トランジスタＱ84を定電流源として動作させるため、トランジスタＱ84は端子Ｔ13を基準電位点としてトランジスタＱ83とともに、カレントミラー回路８３を構成しているものである。
【００６３】
この場合、トランジスタＱ83がカレントミラー回路８３の入力側となるもので、このトランジスタＱ83には、電圧源Ｖ83から、ＦＭ受信時には０Ｖとなり、ＡＭ受信時には例えば1.25Ｖとなるバイアス電圧Ｖ83が供給され、トランジスタＱ82のベースには、電圧源Ｖ82から、例えば電圧ＶFMの中心電圧に等しい電圧、すなわち、1.25Ｖのバイアス電圧が供給される。
【００６４】
また、トランジスタＱ81、Ｑ82のコレクタが、ダイオード接続されたトランジスタＱ85、Ｑ86および抵抗器Ｒ85、Ｒ86を通じて例えば1.65Ｖの電圧源Ｖ85に接続されるとともに、トランジスタＱ81、Ｑ82のコレクタがエミッタフォロワとされたトランジスタＱ87、Ｑ88を通じてトランジスタＱ89のベースに接続される。そして、このトランジスタＱ89はエミッタ接地とされるとともに、そのコレクタがトランジスタＱ72、Ｑ73のコレクタに接続される。
【００６５】
さらに、トランジスタＱ91、Ｑ92および定電流源用のトランジスタＱ94により差動アンプ９２が構成され、トランジスタＱ91、Ｑ92のベースおよびコレクタがトランジスタＱ81、Ｑ82のベースおよびコレクタにそれぞれ接続される。また、トランジスタＱ94は、トランジスタＱ93および抵抗器Ｒ93、Ｒ94とともに、端子Ｔ13を基準電位点としてカレントミラー回路９３を構成しているものである。そして、このとき、トランジスタＱ93がカレントミラー回路９３の入力側となるもので、このトランジスタＱ93には、電圧源Ｖ93から、ＦＭ受信時には例えば1.25Ｖとなり、ＡＭ受信時には０Ｖとなるバイアス電圧Ｖ93が供給される。
【００６６】
また、トランジスタＱ95、Ｑ96が設けられ、それらのベースが電圧源Ｖ83に接続され、それらのエミッタが抵抗器Ｒ91を通じて端子Ｔ14に接続されるとともに、それらのコレクタがトランジスタＱ81、Ｑ82のコレクタに接続される。この場合、端子Ｔ14は、ＩＣ１０がバリコンを使用するアナログ同調方式のＦＭ・ＡＭ受信機（図４および図５）に使用されるときは、図１に破線で示すように、プリント基板の接地パターンに接続されて接地され、シンセサイザ方式のＦＭ・ＡＭ受信機（図６）に使用されるときには、どこにも接続されずに開放とされる。
【００６７】
さらに、端子Ｔ14の電位が、エミッタ接地のトランジスタＱ97を通じてエミッタ接地のトランジスタＱ98のベースに供給されるとともに、このトランジスタＱ98のコレクタがトランジスタＱ93のエミッタに接続される。
【００６８】
このような構成によれば、ＬＥＤ（Ｄ65）を流れる電流は、以下に述べるように変化する。
【００６９】
１  端子Ｔ14を接地した場合
これは、ＩＣ１０をバリコンを使用するアナログ同調方式のＦＭ・ＡＭ受信機に使用する場合である。そして、ＡＭ受信時およびＦＭ受信時の動作は、以下のとうりである。
【００７０】
１−１  ＡＭ受信時
ＡＭ受信時には、Ｖ93＝０Ｖなので、トランジスタＱ93はオフであり、これによりトランジスタＱ94がオフなので、トランジスタＱ91、Ｑ92はオフである。
【００７１】
しかし、ＡＭ受信時には、Ｖ83＝1.25Ｖとされるので、トランジスタＱ95、Ｑ96が同調状態・離調状態に関係なく常にオンとなり、これによりトランジスタＱ85、Ｑ86も常にオンとなるので、トランジスタＱ87、Ｑ88も常にオンとなる。
【００７２】
すると、トランジスタＱ85、Ｑ86のエミッタ電位は、電圧源Ｖ85の電圧（＝1.65Ｖ）よりもベース・エミッタ間電圧分だけ低く、さらに、トランジスタＱ87、Ｑ88のエミッタ電位は、トランジスタＱ85、Ｑ86のエミッタ電位よりもベース・エミッタ間電圧分だけ低いので、トランジスタＱ87、Ｑ88のエミッタ電位は例えば0.3Ｖとなり、トランジスタＱ89は常にオフとなる。
【００７３】
したがって、検波回路１７Ａから電圧ＶAM（図８Ｃ）を電圧／電流変換した電流ＩAMが出力されると、この電流ＩAMは、カレントミラー回路７１およびカレントミラー回路７３を通じてＬＥＤ（Ｄ65）を流れる。この結果、同調つまみを回していくと、電流ＩAMに対応して、ＬＥＤ（Ｄ65）は次第に明るくなって正同調点で最大の明るさとなり、その後、次第に暗くなっていく。したがって、同調状態がわかりやすく、同調操作のフィーリングがよい。
【００７４】
１−２  ＦＭ受信時
ＦＭ受信時には、Ｖ83＝０Ｖなので、トランジスタＱ95、Ｑ96はオフとなるが、ＦＭ受信時には、Ｖ93＝1.25Ｖとされるので、トランジスタＱ93、Ｑ94がカレントミラー回路９３として有効に動作する。しかし、このとき、端子Ｔ14が接地されているので、トランジスタＱ97がオンとなり、トランジスタＱ98がオンとなっている。
【００７５】
したがって、カレントミラー回路９３は、トランジスタＱ93とトランジスタＱ94の動作点がアンバランスになり、トランジスタＱ94に大きなコレクタ電流が流れ、この結果、同調状態・離調状態にかかわらず、電圧ＶFMおよび電圧Ｖ82によりトランジスタＱ91、Ｑ92は常にオンとなる。
【００７６】
したがって、ＡＭ受信時と同様、トランジスタＱ89が、同調状態・離調状態にかかわらず常にオフとなるので、検波回路１７Ａからの電流ＩAMが、カレントミラー回路７１およびカレントミラー回路７３を通じてＬＥＤ（Ｄ65）を流れる。この結果、同調つまみを回していくと、電流ＩAMに対応して、ＬＥＤ（Ｄ65）は次第に明るくなって正同調点で最大の明るさとなり、その後、次第に暗くなっていく。したがって、ＦＭ受信時も同調状態がわかりやすく、同調操作のフィーリングがよい。
【００７７】
２  端子Ｔ14を開放した場合
これは、ＩＣ１０をシンセサイザ方式のＦＭ・ＡＭ受信機に使用する場合である。そして、ＡＭ受信時およびＦＭ受信時の動作は、以下のとうりである。
【００７８】
２−１  ＡＭ受信時
シンセサイザ方式のＦＭ・ＡＭ受信機に使用される場合には、端子Ｔ14は開放とされるので、トランジスタＱ95、Ｑ96は同調状態・離調状態に関係なく常にオフとなる。
【００７９】
そして、ＡＭ受信時には、Ｖ93＝０であり、これによりトランジスタＱ93がオフなので、トランジスタＱ94もオフであり、したがって、トランジスタＱ91、Ｑ92もオフである。また、ＡＭ受信時には、Ｖ83＝1.25Ｖであり、これによりトランジスタＱ83がオンとなってトランジスタＱ84が定電流源として作用するので、差動アンプ８２が有効に動作する。この結果、ＡＭ受信時には、トランジスタＱ85、Ｑ86には、トランジスタＱ81、Ｑ82のコレクタ電流だけが流れることになる。
【００８０】
そして、この場合、トランジスタＱ81のベースには、図８Ａに示すように、Ｓ字状ないしＮ字状に変化する電圧ＶFMが供給され、トランジスタＱ82のベースには電圧Ｖ82が供給されているので、離調状態のときには（中間周波数ｆIFが周波数ｆ0 よりも±Δｆ以上離れているときには）、｜ＶFM｜＞Ｖ82＋ＶTHとなり、電圧ＶFMに対応してトランジスタＱ81、Ｑ82の一方がオンになり、他方がオフになる。
【００８１】
そして、トランジスタＱ81、Ｑ82のどちらかがオフになれば、これに対応してトランジスタＱ85あるいはＱ86がオフになるので、トランジスタＱ87あるいはＱ88のベース電位は抵抗器Ｒ85あるいはＲ86により、ほぼ電圧Ｖ85となる。したがって、トランジスタＱ87、Ｑ88のエミッタ電位は、そのベース電位よりもベース・エミッタ間電圧だけ低い電圧となり、トランジスタＱ89がオンとなる。
【００８２】
この結果、離調状態のときには、検波回路１７Ａからの電流ＩAMは、カレントミラー回路７１からカレントミラー回路７３に流れ込もうとするとき、トランジスタＱ89を通じてバイパスされ、ＬＥＤ（Ｄ65）には流れなくなるので、離調状態のときには、ＬＥＤ（Ｄ65）は点灯しない。
【００８３】
しかし、同調状態のときには（中間周波数ｆIFが周波数ｆ0 よりも±Δｆ以内のときには）、｜ＶFM｜≦Ｖ82＋ＶTHとなり、トランジスタＱ81、Ｑ82がともにオンになり、トランジスタＱ85、Ｑ86がともにオンになる。したがって、上記のようにトランジスタＱ89がオフとなるので、電流ＩAMがＬＥＤ（Ｄ65）を流れ、このＬＥＤ（Ｄ65）は点灯する。
【００８４】
そして、この場合には、端子Ｔ12を流れる電流ＩAMは、図８Ｄに実線で示す特性となる。
【００８５】
２−２  ＦＭ受信時
端子Ｔ14は開放とされるので、ＦＭ受信時もトランジスタＱ95、Ｑ96は同調状態・離調状態に関係なく常にオフとなる。また、トランジスタＱ97も常にオフとなり、トランジスタＱ98も常にオフとなる。
【００８６】
そして、ＦＭ受信時には、Ｖ83＝０Ｖ、Ｖ93＝1.25Ｖとなるので、トランジスタＱ81、Ｑ82がオフとなり、トランジスタＱ91、Ｑ92が有効となる。したがって、ＡＭ受信時とは、トランジスタＱ81、Ｑ82と、トランジスタＱ91、Ｑ92との立場が入れ替わるだけで、ＡＭ受信時と同様の動作が行われることになり、端子Ｔ12を流れる電流ＩAMは、図８Ｄに実線で示す特性となる。
【００８７】
ただし、このＦＭ受信時には、トランジスタＱ91、Ｑ92の動作点を、ＡＭ受信時におけるトランジスタＱ81、Ｑ82の動作点とは異なる設定とすることにより、ＦＭ受信時の電圧ＶTHがＡＭ受信時の電圧ＶTHよりも大きくされ、周波数の範囲±Δｆが広くされる。
【００８８】
こうして、このＩＣ１０によれば、バリコンを使用するアナログ同調方式のＦＭ・ＡＭ受信機に使用する場合には、端子Ｔ14をプリント基板の接地パターンに接続しておくことにより、ＬＥＤ（Ｄ65）には、図８に破線で示すような特性で電流ＩAMが流れるので、同調操作のフィーリングがよくなり、同調操作が容易になる。
【００８９】
また、ＩＣ１０をシンセサイザ方式のＦＭ・ＡＭ受信機に使用する場合には、端子Ｔ14を無接続としておくことにより、ＬＥＤ（Ｄ65）には、図８に実線で示すような特性で電流ＩAMが流れるので、端子Ｔ12の電圧を使用してスキャン時の自動停止を行うとき、受信レベルの大きい放送局があっても、正しい周波数で自動停止を行うことができる。
【００９０】
図３は、図８Ｄに示す特性、すなわち、ＡＭ受信時における端子Ｔ12を流れる電流ＩAMと中間周波周波数ｆIF（受信周波数ｆRX）との関係の測定例を示し、破線が端子Ｔ14を接地した場合、実線が端子Ｔ14を開放にした場合である。
【００９１】
そして、この測定結果からも明らかなように端子Ｔ12を接地あるいは開放とすることにより、端子Ｔ12を流れる電流ＩAMの受信周波数の範囲を制限することができる。
【００９２】
【発明の効果】
この発明によれば、バリコンを使用するアナログ同調方式のＦＭ・ＡＭ受信機に使用する場合には、同調操作のフィーリングがよくなり、同調操作が容易になる。また、シンセサイザ方式のＦＭ・ＡＭ受信機に使用する場合には、例えばスキャン時の自動停止を行うとき、受信レベルの大きい放送局があっても、正しい周波数で自動停止を行うことができる。
【図面の簡単な説明】
【図１】この発明の一形態の一部を示す接続図である。
【図２】図１の続きの一形態を示す接続図である。
【図３】測定例を示す特性図である。
【図４】ＦＭ・ＡＭ受信機用の一形態の一部を示す系統図である。
【図５】図４の続きの一形態の一部を示す系統図である。
【図６】ＦＭ・ＡＭ受信機の他の形態の一部を示す系統図である。
【図７】ＦＭ・ＡＭ受信機の一形態の一部を示す系統図である。
【図８】この発明を説明するための特性図である。
【符号の説明】
１０…ＩＣ、１２Ｉおよび１２Ｑ…ミキサ回路、１３Ｉおよび１３Ｑ…移相回路、１５Ｉおよび１５Ｑ…バンドパスフィルタ、１６Ｆ…リミッタアンプ、１７Ａ…ＡＭ検波回路、１７Ｆ…ＦＭ復調回路、１９…ＡＧＣ電圧形成回路、２１Ａおよび２１Ｆ…局部発振回路、２２Ｉおよび２２Ｑ…分周回路、４２…プリセレクタ、４３および５３…局部発振回路用の共振回路、５２…アンテナ同調回路、６１…スピーカ、６２…バンド切り換えスイッチ、６３…マイクロコンピュータ、７１、７３、８３および９３…カレントミラー回路、８１…ローパスフィルタ、８２、９２…差動アンプ、４３０および５３０…ＰＬＬ
【図１】
0003794103.tif 000006
【図２】
0003794103.tif 000007
【図３】
0003794103.tif 000008
【図４】
0003794103.tif 000009
【図５】
0003794103.tif 000010
【図６】
0003794103.tif 000011
【図７】
0003794103.tif 000012
【図８】
0003794103.tif 000013